(57)【特許請求の範囲】
【請求項１】
ケラチン繊維用の化粧製品のための塗布デバイス（１３）であって、
−  長手方向軸（Ｘ）に沿って整列した把持デバイス（１８）および加熱要素（２０）を含む加熱支持体（１４）であり、前記加熱要素（２０）は金属シース（２６）を含む、加熱支持体（１４）と、
−  前記長手方向軸（Ｘ）に沿って延在しているスリーブ（４０）を含む塗布部材（１６）であり、前記スリーブは前記加熱支持体の前記金属シース（２６）の周囲に嵌合するように設計されており、前記スリーブは、前記化粧製品を前記金属シースと接触させるように設計されている複数の貫通開口部（６０）を画定している、塗布部材（１６）と、
を含み、
前記塗布部材は、前記スリーブから径方向に延在している複数の分離／コーミング要素（４２、４４）をさらに含み、
前記貫通開口部（６０）は複数の第１の列（６２）に従って整列しており、前記分離／コーミング要素（４２、４４）は複数の第２の列（７０）に従って整列しており、前記第１の列および第２の列の各１つは前記スリーブの母線に従って延在しており、
前記第１の列（６２）および前記第２の列（７０）は前記長手方向軸（Ｘ）を中心として交互に分布しており、前記複数の第１の列の数は、前記複数の第２の列の数に等しく、各第１の列（６２）は各隣接した第２の列（７０）とともに、前記長手方向軸に関して非ゼロ角度β（図４）を形成していることを特徴とする、
塗布デバイス。
【請求項２】
−  前記貫通開口部（６０）は、前記長手方向軸（Ｘ）に実質的に平行に延在している細長い形状を有する、請求項１に記載の塗布デバイス。
【請求項３】
−  少なくとも１つの第１の列（６２）はいくつかの整列した貫通開口部（６０）を含み、２つの隣接した開口部は材料ブリッジ（６４）により分離されており、前記第１の列の前記材料ブリッジにより形成されている全長（２＊ｄ２）が、前記第１の列の貫通開口部により形成されている全長（３＊ｄ１）の２０％以下、好ましくは１０％以下、より好ましくは１０％以下である、請求項２に記載の塗布デバイス。
【請求項４】
−  前記少なくとも１つの第１の列（６２）は、２つから５つの間のいくつかの整列した貫通開口部（６０）を含む、請求項３に記載の塗布デバイス。
【請求項５】
−  各第２の列（７０）の前記分離／コーミング要素（４２、４４）は、各隣接した第２の列の前記分離／コーミング要素とは軸方向にオフセットされて（ｄ４）配置されている、請求項１から４のいずれか一項に記載の塗布デバイス。
【請求項６】
−  前記分離／コーミング要素（４２、４４）は第１の群と第２の群とを含み、前記第１の群の前記分離／コーミング要素（４２）の径方向寸法（ｒ１）が前記第２の群の前記分離／コーミング要素（４４）の径方向寸法（ｒ２）より大きい、請求項１から５のいずれか一項に記載の塗布デバイス。
【請求項７】
−  各第２の列（７０）は、前記第１の群からのみまたは前記第２の群からのみ選択される前記分離／コーミング要素（４２、４４）を含む、請求項６に記載の塗布デバイス。
【請求項８】
−  前記第１の群（４２）の前記分離／コーミング要素と前記第２の群（４４）の前記分離／コーミング要素とは前記長手方向軸（Ｘ）を中心として交互に分布している、請求項６または７に記載の塗布デバイス。
【請求項９】
パッケージングおよび塗布アセンブリ（１０）であって、
−  化粧製品のリザーバ（１２）と、
−  請求項１から８のいずれか一項に記載の塗布デバイス（１３）と、
を含み、
前記塗布デバイスの前記塗布部材（１６）は前記リザーバ（１２）内に浸されて、前記化粧製品を集め取るように設計されている、パッケージングおよび塗布アセンブリ（１０）。
【請求項１０】
化粧製品をケラチン繊維、特に睫毛に塗布するための方法であって、
−  請求項１から８のいずれか一項に記載の塗布デバイス（１３）の前記塗布部材（１６）を、前記貫通開口部（６０）に流体化粧製品を装填するようにして前記流体化粧製品と接触させるステップと、
−  前記加熱要素（２０）を作動させるステップと、
−  前記塗布デバイス（１３）を前記長手方向軸（Ｘ）を中心として変位させること、および／または前記長手方向軸（Ｘ）に対して垂直に並進運動させることを行うステップと、
−  前記ケラチン繊維を貫通開口部（６０）内に通し、前記ケラチン繊維に前記化粧製品を装填するステップと、
−  前記貫通開口部（６０）の各側の前記分離／コーミング要素（４２、４４）を使用して、前記ケラチン繊維をコーミングし、引っ張るステップと、
を含む、方法。
【発明の詳細な説明】
【技術分野】
【０００１】
本発明は、長手方向軸に従って整列した把持デバイスおよび加熱要素を含む加熱支持体であり、加熱要素は金属シースを含む、加熱支持体と、長手方向軸に沿って延在しているスリーブを含む塗布部材であり、スリーブは加熱支持体の金属シースの周囲に装着することができ、前記スリーブは、化粧製品を前記金属シースと接触して配置することを目的としている複数の貫通開口部を画定している、塗布部材とを含み、塗布部材は、スリーブから径方向に延在している複数の分離／コーミング要素をさらに含み、貫通開口部は複数の第１の列に従って整列しており、分離／コーミング要素は複数の第２の列に従って整列しており、第１の列および第２の列の各１つはスリーブの母線に従って延在しているタイプの、ケラチン繊維用の化粧製品を塗布するためのデバイスに関する。
【０００２】
特に、加熱支持体の加熱要素は、シースの内部にかつシースの内壁と熱的接触して配置されている抵抗線を含む。変形形態としてまたはさらに、加熱要素は、長手方向軸に沿ってそれを中心として、かつシースの内壁と熱的接触して分布する複数の個別の加熱抵抗器を含み得る。
【背景技術】
【０００３】
本発明の目的のために、「化粧製品」という用語は、非特許文献１において定義されている製品を指す。
【０００４】
塗布のための上述のデバイスにより塗布されることを目的としている化粧製品は、睫毛などの、ユーザのケラチン繊維に配置されることが可能である。この製品は、たとえば、マスカラなどのメイクアップ製品である。
【０００５】
化粧製品は流体形態であること、すなわち多かれ少なかれ粘性液体または粉末から成ることが有利である。
【０００６】
マスカラなどのメイクアップ製品が、睫毛を湾曲させかつ／または伸ばすことを目的とする加熱塗布デバイスを使用して塗布され得ることが知られている。特許文献１が、塗布部材がコームの形で締まり嵌めされる、前述されているタイプの加熱塗布デバイスを記載している。
【０００７】
この種の加熱デバイスの改良における技術的制約および安全制約のうちの１つが、マスカラと接触することを目的としている金属シースおよび睫毛が、約６５℃〜７０℃の温度にされなければならないことである。この温度範囲内で、化粧製品は十分に加熱されて、睫毛を効果的にライニンングし、しかしながらユーザの火傷のリスクは限定されている。
【０００８】
化粧製品を、金属シースの温度に可能な限り近い温度にするために、本明細書に前述されている特許文献１が、塗布部材の側に配置されている、前記シースへのアクセス開口部の存在を記載している。
【０００９】
しかし、この種の塗布デバイスはさらに改良されることが可能である。非対称塗布部材の存在は、睫毛に対する最良の位置に塗布デバイスを置いて化粧製品の塗布を最適化する、ユーザによる巧妙さを必要とする。また、塗布デバイスは、より多くの化粧製品を捕捉するために、非常に頻繁にリザーバ内に浸されなければならない。
【００１０】
この趣旨で、まだ公開されていない特許文献２が、塗布部材の外面全体にわたって一定の間隔で離間されている貫通開口部と分離／コーミング要素とを含む前記塗布部材を記載している。
【先行技術文献】
【特許文献】
【００１１】
【特許文献１】国際公開第２０１６／１７４１０２号
【特許文献２】仏国特許出願第１６６２５３９号
【非特許文献】
【００１２】
【非特許文献１】化粧品に関する欧州議会および２００９年１１月３０日欧州理事会の規則（ＥＣ）Ｎｏ．１２２３／２００９
【発明の概要】
【発明が解決しようとする課題】
【００１３】
本発明の１つの目的が、睫毛上への化粧製品の最適化された塗布を可能にする加熱塗布デバイスを得ることである。
【課題を解決するための手段】
【００１４】
この趣旨で、本発明は、目的として、第１の列および第２の列が長手方向軸を中心として交互に分布しており、各第１の列が各隣接した第２の列とともに、前記長手方向軸に関して非ゼロ角度を形成する、上述されているタイプの塗布デバイスを有する。
【００１５】
そのような構成は、特に、睫毛の分離の所望の効果に基づき、スリーブの分離／コーミング要素の数におけるより制限的でない選択を可能にする。
【００１６】
本発明のさらなる有利な態様によれば、塗布デバイスは、単独でまたは任意の技術的に可能な組合せで採用される以下の特徴のうちの１つまたはいくつかを含む：
−  貫通開口部は、長手方向軸に実質的に平行に延在している細長い形状を有し、
−  少なくとも１つの第１の列はいくつかの整列した貫通開口部を含み、２つの隣接した開口部は材料ブリッジ（bridge of material）により分離されており、前記第１の列の材料ブリッジにより形成されている全長が、前記第１の列の貫通開口部により形成されている全長の３０％以下、好ましくは２０％以下、より好ましくは１０％以下である。
−  前記少なくとも１つの第１の列は、２つから５つの間のいくつかの整列した貫通開口部を含み、
−  各第２の列の分離／コーミング要素は、各隣接した第２の列の分離／コーミング要素とは軸方向にオフセットされて配置されており、
−  分離／コーミング要素は第１の群と第２の群とを含み、第１の群の分離／コーミング要素の径方向寸法が第２の群の分離／コーミング要素の径方向寸法より大きく、
−  各第２の列は、第１の群からのみまたは第２の群からのみ選択される分離／コーミング要素を含み、
−  第１の群の分離／コーミング要素と第２の群の分離／コーミング要素とは長手方向軸を中心として交互に分布している。
【００１７】
本発明は、化粧製品のリザーバと本明細書に前述されているものなどの塗布デバイスとを含む、パッケージングおよび塗布アセンブリにさらに関し、前記塗布デバイスの塗布部材は、化粧製品を集め取るために、リザーバ内に押し込まれることが可能である。
【００１８】
また、本発明は、化粧製品をケラチン繊維、特に睫毛に塗布するための方法であって、以下のステップ、すなわち、本明細書に前述されているものなどの塗布デバイスの塗布部材を、貫通開口部に流体化粧製品を装填するようにして前記流体化粧製品と接触させるステップと、加熱要素を作動させるステップと、塗布デバイスを、長手方向軸を中心とした回転運動および／または長手方向軸に対して垂直な並進運動により変位させるステップと、ケラチン繊維を貫通開口部内に通し、ケラチン繊維に化粧製品を装填するステップと、貫通開口部の両側に配置されている分離／コーミング要素により、ケラチン繊維をコーミングし、引っ張るステップと、を含む方法に関する。
【００１９】
本発明は、単に非制限的な例として、図面を参照して与えられている以下の説明を考慮して、より容易に理解される。
【図面の簡単な説明】
【００２０】
【図１】化粧製品塗布部材を含む、本発明の第１の実施形態によるパッケージングおよび塗布アセンブリの側面部分断面図である。
【図２】図１の塗布部材の側面図である。
【図３】図１の塗布部材の長手方向断面図である。
【図４】図１の塗布部材の横断面図である。
【発明を実施するための形態】
【００２１】
図１は、化粧製品のためのパッケージングおよび分配アセンブリ１０を示す。アセンブリ１０は化粧製品、特に、メイクアップおよび／または手入れのための化粧製品、特に、マスカラをパッケージングすることを目的としている。また、アプリケータ１０は、ユーザのケラチン繊維、特に、睫毛または瞼上に、前記化粧製品を塗布することを目的としている。
【００２２】
アセンブリ１０はリザーバ１２と塗布デバイス１３とを含む。前記リザーバ１２および前記塗布デバイス１３は、たとえばねじ切り／ねじ立てタイプの、互いに組み立てるための手段（図示せず）を設けられていることが好ましい。リザーバ１２は、多量の化粧製品を受容することができる内部容積（図示せず）を画定している。
【００２３】
塗布デバイス１３は、加熱支持体１４と、前記加熱支持体に永久的にまたは取外し可能に組み立てられている塗布部材１６とを含む。塗布部材１６は図１に断面図として示されている。
【００２４】
加熱支持体１４は、長手方向軸Ｘに実質的に沿って延在している細長い形状を有する。加熱支持体１４は、特に、軸Ｘに従って整列したスリーブ１８と加熱要素２０とを含む。スリーブ１８は図１に断面図として示されている。スリーブ１８のいわゆる遠位端２２が加熱要素２０のいわゆる近位端２４に組み立てられている。
【００２５】
アプリケータ２０は、化粧製品および／またはユーザのケラチン繊維、特に睫毛または瞼を加熱することができる。特に、加熱要素２０は、実質的に円筒形状の、優先的には回転円筒形の、管状金属シース２６を含む。シース２６は、それぞれ、加熱要素２０の近位端２４で開放され、反対側の遠位端２８で閉鎖されている。
【００２６】
加熱要素２０は、前記シースの内壁と熱的接触しているようにシース２６の内部に配置されている抵抗線３０をさらに含む。抵抗線３０はスリーブ１８内へ延在しており、たとえばバッテリタイプの、電気エネルギー源（図示せず）に接続されている。前記バッテリはスリーブ１８内に収容されていることが好ましい。バッテリは、スリーブ１８により担持されているスイッチ（図示せず）に接続されており、それにより抵抗線３０にエネルギーを用いて電力を供給することが可能になることが好ましい。
【００２７】
加熱支持体１４は、特許文献１に記載されている加熱支持体に類似していることが好ましい。
【００２８】
塗布部材１６は図２から図４までにより詳細に示されている。
【００２９】
塗布部材１６は一体成形で形成されていることが有利である。塗布部材は熱可塑性プラスチック材料または金属材料から作製される。たとえば、塗布部材１６は、以下の列挙から選択される１つまたはいくつかの材料から作製される：  シリコーン、ラテックス、補強摺動材料、ブチル、ＥＰＤＭ、ニトリル、熱可塑性エラストマー、ポリエステルエラストマー、ポリアミド、ポリエチレンまたはビニル、ＰＥもしくはＰＰ、ＰＶＣ、ＥＶＡ、ＰＳ、ＳＥＢＳ、ＳＩＳ、ＰＥＴ、ＰＯＭ、ＰＵ、ＳＡＭ、ＰＡ、ＰＭＭＡなどのポリオレフィン。たとえば、塗布部材１６は、テフロン（登録商標）、ハイトレル（登録商標）、  キャリフレックス（登録商標）、アリキシン（登録商標）、サントプレーン（登録商標）、ペバックス（登録商標）、Ｐｏｌｌｏｂａｓ（登録商標）の名で既知の材料から作製され得る。
【００３０】
塗布部材１６は、実質的に円筒形のスリーブ４０と、スリーブ４０から径方向に突出して延在している複数の分離／コーミング要素４２、４４とを含む。
【００３１】
スリーブ４０は近位取付け部分５０と丸い遠位部分５２との間の長手方向軸Ｘに沿って延在している。スリーブ４０は、近位取付部分５０と遠位部分５２との間に配置されている、円筒形状の中間部分５４をさらに含む。
【００３２】
スリーブ４０は長手方向軸Ｘに沿って延在している内部空洞部５６を画定している。内部空洞部５６は、近位取付部分５０に配置されている開放端部と、遠位部分５２に配置されている閉鎖端部とをそれぞれ含む。
【００３３】
近位取付部分５０において、内部空洞部５６は、前記遠位端２２上で入れ子にされ得るように、スリーブ１８の遠位端２２と補完する形状５８を有する。
【００３４】
遠位部分５２および中間部分５４において、内部空洞部５６は加熱要素２０のシース２６の形状と実質的に補完する形状を有する。図１に示されている通り、スリーブ４０は、したがって、前記シース上に装着されることが可能である。
【００３５】
スリーブ４０の中間部分５４は、内部空洞部５６をスリーブ４０の外面と径方向に連通して配置されている複数の貫通開口部６０を含む。
【００３６】
貫通開口部６０は、化粧製品を、内部空洞部５６内に受容される、加熱要素２０のシース２６と接触して配置することを目的としている。特に、貫通開口部６０は、塗布部材１６がリザーバ１２内に押し込まれると、化粧製品を装填されるように構成されている。したがって、適切な化粧製品が、貫通開口部６０内に流入することにより収容されるように、流体形態を有する。
【００３７】
貫通開口部６０は、長手方向軸Ｘを中心として配置されている複数の第１の列６２に従って整列されている。各第１の列６２は、スリーブ４０の中間部分５４により形成されているシリンダの母線に従って延在している。
【００３８】
第１の列６２は、長手方向軸Ｘを中心として一定の間隔で分布しており、２つの隣接した第１の列が前記長手方向軸に関して同じ角度α（図４）を形成していることが好ましい。第１の列６２の数は６から１４の間であることが好ましい。図１から図４までの実施形態では、貫通開口部６０は１０の第１の列６２を形成し、角度αは３６°に等しい。
【００３９】
同じ第１の列６２の貫通開口部６０のすべては長手方向軸Ｘに実質的に平行に延在している細長い形状を有することが好ましい。
【００４０】
ある実施形態（図示せず）によれば、少なくとも１つの第１の列６２が、中間部分５４の実質的に全長にわたって延在している単一の貫通開口部６０から形成されている。別の実施形態によれば、図１から図４までの１つなどの、少なくとも１つの第１の列６２がいくつかの整列した貫通開口部６０を含み、２つの隣接した開口部が材料ブリッジ６４により分離されている。そのような実施形態は塗布部材１６の製造を容易にし、その固体性を向上させる。
【００４１】
少なくとも１つの第１の列６２が、２つから５つの間のいくつかの整列した貫通開口部６０から形成されることが好ましい。たとえば、前記第１の列は、２つの材料ブリッジ６４により分離された３つの開口部６０を含む。
【００４２】
同じ第１の列６２の貫通開口部６０のすべては同一寸法を有することが好ましい。同様に、同じ第１の列６２の材料ブリッジ６４のすべては同一寸法を有することが好ましい。図１から図４までの実施形態では、同じ第１の列６２の貫通開口部６０はＸに沿って同じ第１の長さｄ１（図３）を、同じ第１の列６２の材料ブリッジ６４はＸに沿って同じ第１の長さｄ２（図３）を、それぞれ有する。
【００４３】
材料ブリッジ６４は、化粧製品の装填量を最適化するように、貫通開口部６０により占められる全長より大幅に小さい全長を占めることが有利である。したがって、同じ第１の列６２の材料ブリッジの長さの合計は、前記第１の列の貫通開口部の長さの合計の好ましくは３０％以下、より好ましくは２０％以下、さらに好ましくは１０％以下である。図１から図４までの実施形態では、したがって、おおよそ（２＊ｄ２）／（３＊ｄ１）＝１８．３％である。
【００４４】
貫通開口部６０の縁部は、前記貫通開口部が内部空洞部５６からスリーブ４０の外面まで広がった形状を有するように面取りされていることが好ましい。面取りは、加熱要素２０に可能な限り近接して、ケラチン繊維に化粧製品を装填することに有利に働く。
【００４５】
図１から図４までの実施形態の場合と同様に、第１の列６２のすべては同一構造を有する、すなわち各第１の列６２は、長手方向軸Ｘを中心とした角度回転ｎ＊αによる他の第１の列のいずれかの形象であることが好ましく、ｎは整数である。
【００４６】
分離／コーミング要素４２、４４は、長手方向軸Ｘを中心として配置されている複数の第２の列７０に従って整列している。各第２の列７０は、スリーブ４０の中間部分５４により形成されているシリンダの母線に従って延在している。
【００４７】
第１の列６２および第２の列７０は長手方向軸Ｘを中心として交互に分布している。各第１の列は各隣接した第２の列とともに、前記長手方向軸に関して非ゼロ角度β（図４）を形成している。特に、特許文献２に記載されているデバイスに反して、分離／コーミング要素４２、４４は、開口部６０により形成されている第１の列６２からある距離の所に配置されている。
【００４８】
第１の列６２および第２の列７０は、角度βがα／２に等しいように、長手方向軸Ｘを中心として一定の間隔で分布していることが好ましい。
【００４９】
第２の列７０の数は第１の列６２の数に等しく、６から１４の間であることが好ましい。図１から図４までの実施形態では、第２の列７０の数は１０に等しい。
【００５０】
分離／コーミング要素４２、４４は、たとえば、スリーブ４０から外向きに突出しているピンから形成されていてもよい。これらのピンの各々は自由端に向かって先細になっている。
【００５１】
少なくとも１つの第２の列７０が、１５から３０の間のいくつかの分離／コーミング要素４２、４４から形成されることが好ましい。図１から図４までの実施形態の場合と同様に、同じ第２の列７０の分離／コーミング要素４２、４４のすべては同一の距離ｄ３により離間されていることが好ましい。
【００５２】
分離／コーミング要素４２、４４は第１の群および第２の群を含むことが好ましい。第１の群の分離／コーミング要素４２の径方向寸法ｒ１が第２の群の分離／コーミング要素４４の径方向寸法ｒ２より大きい（図４）。たとえば、比率ｒ２／ｒ１は４０％から６０％の間である。そのような構造に関連する利点が、それが、ユーザが塗布部材１６を用いて睫毛を良好に圧迫し、スパチュラ効果を生み出すことを促進することである。
【００５３】
各第２の列７０は、第１の群からのみまたは第２の群からのみ選択される分離／コーミング要素４２または４４を含むことが好ましい。同じ第２の列７０の分離／コーミング要素のすべては、したがって、同一であることが好ましい。
【００５４】
第１の群の分離／コーミング要素４２および第２の群の分離／コーミング要素４４は長手方向軸Ｘを中心として交互に分布していることが好ましい。
【００５５】
図１から図４までの実施形態では、同じ群の分離／コーミング要素４２または４４は軸方向に整列している。より正確には、各第２の列７０は、長手方向軸Ｘを中心とした角度回転２ｎ＊αに沿って、同じ群の分離／コーミング要素４２または４４で形成されている他の第２の列のいずれかの形象であり、ｎは整数である。
【００５６】
他方、各第２の列７０の分離／コーミング要素４２または４４は、前記分離／コーミング要素が同じ群に属さない、各隣接した第２の列の分離／コーミング要素４４または４２との軸方向のオフセットｄ４に従って並べられている。軸方向のオフセットｄ４はたとえばｄ３／３からｄ３／２の間である。
【００５７】
分離／コーミング要素４２、４４のこの軸方向のオフセットは、塗布中にケラチン繊維がその周辺を通過する連続バッフルを形成する。したがって、ケラチン繊維は湾曲して、分離／コーミング要素４２、４４間を通過する。また、最適温度の化粧製品を含有している貫通開口部６０内へケラチン繊維が浸る時にそれらが化粧製品を捕捉するように、ケラチン繊維は分離／コーミング要素４２、４４により減速する。
【００５８】
ここで、前述されているものなどの化粧製品の塗布アセンブリ１０を使用するための方法を説明する。ユーザは図１に示されているものなどの塗布デバイス１３のスリーブ１８を把持し、塗布部材１６をリザーバ１２内に含有されている化粧製品中に浸す。化粧製品は、毛管現象により、塗布部材１６の貫通開口部６０を満たす。
【００５９】
ユーザは、エネルギーを用いて加熱要素２０に電力を供給するために、塗布デバイス１３のスイッチを作動させる。シース２６の温度は、次いで、好ましくは最大５０℃から７０℃の間の値まで上昇する。貫通開口部６０内に受容される化粧製品は、したがって、所望の温度まで加熱される。
【００６０】
次に、ユーザは、次いで、ケラチン繊維において塗布デバイスを回転させかつ／または塗布デバイスを平行移動させる。各ケラチン繊維は、貫通開口部６０内の最適温度の化粧製品を装填され、次いで、長手方向軸Ｘに対して実質的に垂直な方向に沿ってコーミングされ、引っ張られる。
【００６１】
塗布方法はユーザにより連続的に反復され得る。ユーザは、各反復間にまたは行程の何回かの反復後に、塗布デバイスを製品リザーバ１２内へ浸すことにより、化粧製品を塗布デバイス１３上に再装填することができる。
【００６２】
本明細書に前述されているものなどの塗布デバイス１３は、簡単に使える塗布部材１６を含む。化粧製品は、ケラチン繊維に対する塗布部材１６の特別な角度位置を探す必要なく、塗布され得る。また、塗布部材１６はより効率的に化粧製品を再装填する。したがって、塗布デバイス１３の耐久性は改善され、ユーザは前記塗布デバイス上に化粧製品を頻繁に再装填する必要がない。
【００６３】
さらに、塗布デバイス１３は、塗布部材１６の表面全体にわたって分布している貫通開口部６０を有する。化粧製品は、したがって、加熱要素２０のシース２６の温度に可能な限り近い温度で塗布され得る。
【００６４】
さらに、分離／コーミング要素４２、４４の配置は、ケラチン繊維の最適な分離、コーミング、および引っ張りを可能にする。
【符号の説明】
【００６５】
１０  パッケージングおよび塗布アセンブリ、パッケージングおよび分配アセンブリ、アプリケータ、塗布アセンブリ
１２  リザーバ、製品リザーバ
１３  塗布デバイス
１４  加熱支持体
１６  塗布部材
１８  スリーブ、把持デバイス
２０  加熱要素、アプリケータ
２２  （スリーブ１８の）遠位端
２４  （加熱要素２０の）近位端
２６  金属シース、シース
２８  （加熱要素２０の）遠位端
３０  抵抗線
４０  スリーブ
４２、４４  分離／コーミング要素
５０  近位取付部分
５２  遠位部分
５４  中間部分
５６  内部空洞部
５８  （スリーブ１８の遠位端２２と）補完する形状
６０  貫通開口部
６２  第１の列、第１の長手方向列
６４  材料ブリッジ
７０  第２の列、第２の長手方向列
【図１】
0006968267.tif 000002
【図２】
0006968267.tif 000003
【図３】
0006968267.tif 000004
【図４】
0006968267.tif 000005